(57)【特許請求の範囲】
【請求項１】
放電ランプを収納し前端に開口を有するハウジングボディと、ハウジングボディの開口に装着され放電ランプからの光を取り出すレンズと、前記放電ランプに電力を供給する点灯装置とを備え、前記ハウジングボディと前記レンズとは灯体を構成し、前記レンズは、前面板の周縁から前記ハウジングボディに向かって周壁が延設された形状であって、前面板と周壁により形成された空間に設けられかつ灯体の内部空間に一部が開放され前記点灯装置の少なくとも一部の構成要素が収納される収納室を備えるとともに、収納室の開放部位に蓋体が覆着されることを特徴とする照明装置。
【請求項２】
放電ランプを収納し前端に開口を有するハウジングボディと、ハウジングボディの開口に装着され放電ランプからの光を取り出すレンズと、前記放電ランプに電力を供給する点灯装置とを備え、前記ハウジングボディと前記レンズとは灯体を構成し、前記レンズは、前面板の周縁から前記ハウジングボディに向かって周壁が延設された形状であって、前記レンズの前面板と前記ハウジングボディとの間に配置されるインナーパネルが周壁の内周面に固定され、前記インナーパネルは、灯体の内部空間に一部が開放され前記点灯装置の少なくとも一部の構成要素が収納される収納室を備えるとともに、収納室の開放部位に蓋体が覆着されることを特徴とする照明装置。
【請求項３】
放電ランプを収納し前端に開口を有するハウジングボディと、ハウジングボディの開口に装着され放電ランプからの光を取り出すレンズと、前記放電ランプに電力を供給する点灯装置とを備え、前記ハウジングボディと前記レンズとは灯体を構成し、前記レンズは、前面板の周縁から前記ハウジングボディに向かって周壁が延設された形状であって、前記レンズの周部に後面が開放された第１の凹所を設けるとともに、前記ハウジングボディにおいて第１の凹所に対向する部位に前面が開放された第２の凹所を設け、第１の凹所と第２の凹所とに囲まれる空間を前記点灯装置の少なくとも一部の構成要素が収納される収納室としたことを特徴とする照明装置。
【請求項４】
前記放電ランプからの光を前記レンズ側である前方に反射させるリフレクタが前記ハウジングボディに収納され、前記灯体は、前記ハウジングボディのうち前記リフレクタの後面側の近傍において放電ランプの着脱が可能となるように形成された開口部に着脱可能に覆着されるキャップを備えていることを特徴とする請求項１ないし請求項３のいずれか１項に記載の照明装置。
【請求項５】
前記放電ランプと前記レンズとが水平方向に離間して配置され、前記点灯装置の少なくとも一部の構成要素が前記レンズの下部に配置されることを特徴とする請求項１ないし請求項４のいずれか１項に記載の照明装置。
【請求項６】
前記点灯装置が前記放電ランプを始動させるための高電圧を発生させるイグナイタを備え、前記イグナイタをハウジングボディ内に配置するとともに、前記点灯装置のうち前記イグナイタを除く構成要素を前記収納室に配置したことを特徴とする請求項１ないし請求項５のいずれか１項に記載の照明装置。
【請求項７】
前記点灯装置が前記放電ランプを始動させるための高電圧を発生させるイグナイタを備え、前記イグナイタを前記リフレクタにおいて放電ランプの配置側とは反対側に取り付けるとともに、前記点灯装置のうち前記イグナイタを除く構成要素を前記収納室に配置したことを特徴とする請求項４記載の照明装置。
【請求項８】
前記リフレクタの後面側に前記放電ランプが着脱自在に装着されるバルブソケットを設け、前記点灯装置が前記放電ランプを始動させるための高電圧を発生させるイグナイタを備え、前記イグナイタを前記バルブソケットに取り付けるとともに、前記点灯装置のうち前記イグナイタを除く構成要素を前記収納室に配置したことを特徴とする請求項４記載の照明装置。
【請求項９】
前記点灯装置が前記放電ランプを始動させるための高電圧を発生させるイグナイタを備え、前記イグナイタを前記キャップ内に配置するとともに、前記点灯装置のうち前記イグナイタを除く構成要素を前記収納室に配置したことを特徴とする請求項４記載の照明装置。
【請求項１０】
前記点灯装置が前記放電ランプを始動させるための高電圧を発生させるイグナイタを備え、前記イグナイタを前記放電ランプにおけるリフレクタの後面側に突出する部位に設けるとともに、前記点灯装置のうち前記イグナイタを除く構成要素を前記収納室に配置したことを特徴とする請求項４記載の照明装置。
【請求項１１】
前記点灯装置が別に設けた直流電源から供給される直流電圧を受け取る電源部を備え、前記電源部を前記灯体の外部に配置するとともに、前記点灯装置のうち前記電源部を除く構成要素を前記収納室に配置したことを特徴とする請求項４記載の照明装置。
【請求項１２】
前記収納室の内周面に導電性を付与した第１導電部を設けるとともに前記点灯装置の構成要素の接地点を第１導電部に接続し、前記蓋体における収納室側の面に導電性を付与した第２導電部を設け、第１導電部と第２導電部とが接触するように蓋体を収納室の開放部位に覆着することを特徴とする請求項１ないし請求項１１のいずれか１項に記載の照明装置。
【請求項１３】
前記点灯装置が別に設けた直流電源から供給される直流電圧を電圧変換するＤＣ−ＤＣコンバータを備え、ＤＣ−ＤＣコンバータのうちの発熱部品を金属板に熱的に結合し、前記金属板を前記インナーパネルに熱的に結合していることを特徴とする請求項２記載の照明装置。
【請求項１４】
前記点灯装置が別に設けた直流電源から供給される直流電圧を電圧変換するＤＣ−ＤＣコンバータを備え、ＤＣ−ＤＣコンバータのうちの発熱部品を金属板に熱的に結合し、前記金属板を前記レンズに熱的に結合していることを特徴とする請求項１ないし請求項１２のいずれか１項に記載の照明装置。
【請求項１５】
ハロゲンランプを設けるとともにハロゲンランプからの光をレンズ側である前方に反射させる第２のリフレクタを前記リフレクタに隣接させて前記灯体内に収納し、前記リフレクタと第２のリフレクタとの間に対応する部位に前記点灯装置の少なくとも一部の構成要素が配置される前記収納室が形成されていることを特徴とする請求項４記載の照明装置。
【発明の詳細な説明】
【０００１】
【発明の属する技術分野】
本発明は、主として自動車の前照灯に用いられ、光源として放電ランプを備える照明装置に関するものである。
【０００２】
【従来の技術】
従来から、自動車の前照灯に用いる照明装置として、図２１に示すように、灯体１０内にリフレクタ１１および光源としての放電ランプ（ＨＩＤランプを用いる）１２を収納し、灯体１０の外側に配置した点灯装置２０により放電ランプ１２を点灯させるものがある。リフレクタ１１は適宜手段で灯体１０に固定される。ここに、灯体１０は、リフレクタ１１および放電ランプ１２を収納したハウジングボディ１４の前面の開口に放電ランプ１２からの光を取り出すためのレンズ１８が装着され、ハウジングボディ１４の後面に放電ランプ１２の交換を可能とするように設けた開口部に着脱可能にキャップ１５が覆着された構成を有している。放電ランプ１２はリフレクタ１１の後端部に設けた開口孔を通してリフレクタ１１から後方に引き出すことが可能になっている。
【０００３】
また、図示する点灯装置２０は、図２２に示すように、放電ランプの始動に際して高電圧パルスを印加するイグナイタ２０ａと、直流電源から矩形波交流に電力変換し放電ランプ１２を点灯維持させる電力を供給するインバータ２０ｂと、別に設けたカーバッテリのような直流電源からの直流電圧を受ける電源部２０ｃと、電源部２０ｃの直流電圧を電圧変換（昇圧または降圧）してインバータ２０ｂに与えるＤＣ−ＤＣコンバータ２０ｄとを一つのケース２５に収納して構成されている。図２２に示す例では、インバータ２０ｂとＤＣ−ＤＣコンバータ２０ｄとをひとまとめにしてある。電源部２０ｃは、直流電源の電圧変動を抑制するためのコンデンサ、サージ保護素子、インバータ２０ｂやＤＣ−ＤＣコンバータ２０ｄで発生する高周波を阻止するフィルタ回路の少なくとも１つの要素を含む。
【０００４】
この点灯装置２０は、ハーネスであるランプ線Ｌｄを介してバルブソケット２２に接続されるとともに、ハーネスである電源線Ｌｐを介して電源コネクタ２３に接続されている。なお、ハーネスは両端に着脱可能な接続部を設けた接続線を意味する。バルブソケット２２はリフレクタ１１の後部外側に配置されて放電ランプ１２を保持するとともに放電ランプ１２に点灯装置２０を接続する。また、電源コネクタ２３は灯体１０の後端部に取り付けられている。
【０００５】
図示する点灯装置２０は、ケース２５の外側面に取付片２５ｄが突設され、取付片２５ｄに挿通される固定ねじ３１を用いて灯体１０の外側面に固定される。また、灯体１０の外側面には点灯装置２０を覆って防水性能を確保するためのカバー３２が取付ねじ３３を用いて取り付けられている。灯体１０とカバー３２との間には防水用のパッキン３４が挟装される。ランプ線Ｌｄおよび電源線Ｌｐは灯体１０の周壁に形成された挿通孔１０ｄを通して灯体１０の内部に引き込まれる。したがって、図２１に示す構成で点灯装置２０を組み付けるには、灯体１０の後部に設けたキャップ１５およびカバー３２を外しておき、点灯装置２０を灯体１に固定ねじ３１で固定し、負荷線Ｌｄや電源線Ｌｐをバルブソケット２２や電源コネクタ２３に接続し、さらに、キャップ１５およびカバー３２を灯体１０に取り付けることになる。
【０００６】
【発明が解決しようとする課題】
ところで、上述した構成では、点灯装置２０やカバー３２を灯体１０に取り付けるとともに、灯体１０の内部で負荷線Ｌｄや電源線Ｌｐを引き回し、点灯装置２０の固定や電源コネクタ２３の接続を行った後にカバー３２およびキャップ１５を灯体１０に取り付けなければならないから、点灯装置２０を組み付ける作業に時間がかかるという問題がある。しかも、灯体１０の内部空間が有功に利用されておらず、灯体１０の外側にカバー３２を取り付けているものであるから全体として大型化するという問題があり、さらには結露防止のために大型のカバー３２の全周に亘って防水の構成が必要になるから、コスト高につながるという問題がある。
【０００７】
本発明は上記事由に鑑みて為されたものであり、その目的は、灯体に点灯装置を組み付ける際の作業性を従来構成よりも向上させ、しかも灯体の内部空間を有功に利用して全体として小型化し、さらには部品点数を削減するとともに防水の必要箇所を削減することによってコストを低減した照明装置を提供することにある。
【０００８】
【課題を解決するための手段】
請求項１の発明は、放電ランプを収納し前端に開口を有するハウジングボディと、ハウジングボディの開口に装着され放電ランプからの光を取り出すレンズと、前記放電ランプに電力を供給する点灯装置とを備え、前記ハウジングボディと前記レンズとは灯体を構成し、前記レンズは、前面板の周縁から前記ハウジングボディに向かって周壁が延設された形状であって、前面板と周壁により形成された空間に設けられかつ灯体の内部空間に一部が開放され前記点灯装置の少なくとも一部の構成要素が収納される収納室を備えるとともに、収納室の開放部位に蓋体が覆着されるものである。
【０００９】
請求項２の発明は、放電ランプを収納し前端に開口を有するハウジングボディと、ハウジングボディの開口に装着され放電ランプからの光を取り出すレンズと、前記放電ランプに電力を供給する点灯装置とを備え、前記ハウジングボディと前記レンズとは灯体を構成し、前記レンズは、前面板の周縁から前記ハウジングボディに向かって周壁が延設された形状であって、前記レンズの前面板と前記ハウジングボディとの間に配置されるインナーパネルが周壁の内周面に固定され、前記インナーパネルは、灯体の内部空間に一部が開放され前記点灯装置の少なくとも一部の構成要素が収納される収納室を備えるとともに、収納室の開放部位に蓋体が覆着されるものである。
【００１０】
請求項３の発明は、放電ランプを収納し前端に開口を有するハウジングボディと、ハウジングボディの開口に装着され放電ランプからの光を取り出すレンズと、前記放電ランプに電力を供給する点灯装置とを備え、前記ハウジングボディと前記レンズとは灯体を構成し、前記レンズは、前面板の周縁から前記ハウジングボディに向かって周壁が延設された形状であって、前記レンズの周部に後面が開放された第１の凹所を設けるとともに、前記ハウジングボディにおいて第１の凹所に対向する部位に前面が開放された第２の凹所を設け、第１の凹所と第２の凹所とに囲まれる空間を前記点灯装置の少なくとも一部の構成要素が収納される収納室としたものである。
【００１１】
請求項４の発明は、請求項１ないし請求項３のいずれかの発明において、前記放電ランプからの光を前記レンズ側である前方に反射させるリフレクタが前記ハウジングボディに収納され、前記灯体は、前記ハウジングボディのうち前記リフレクタの後面側の近傍において放電ランプの着脱が可能となるように形成された開口部に着脱可能に覆着されるキャップを備えているものである。
【００１２】
請求項５の発明は、請求項１ないし請求項４のいずれかの発明において、前記放電ランプと前記レンズとが水平方向に離間して配置され、前記点灯装置の少なくとも一部の構成要素が前記レンズの下部に配置されるものである。
【００１３】
請求項６の発明は、請求項１ないし請求項５のいずれかの発明において、前記点灯装置が前記放電ランプを始動させるための高電圧を発生させるイグナイタを備え、前記イグナイタをハウジングボディ内に配置するとともに、前記点灯装置のうち前記イグナイタを除く構成要素を前記収納室に配置したものである。
【００１４】
請求項７の発明は、請求項４の発明において、前記点灯装置が前記放電ランプを始動させるための高電圧を発生させるイグナイタを備え、前記イグナイタを前記リフレクタにおいて放電ランプの配置側とは反対側に取り付けるとともに、前記点灯装置のうち前記イグナイタを除く構成要素を前記収納室に配置したものである。
【００１５】
請求項８の発明は、請求項４の発明において、前記リフレクタの後面側に前記放電ランプが着脱自在に装着されるバルブソケットを設け、前記点灯装置が前記放電ランプを始動させるための高電圧を発生させるイグナイタを備え、前記イグナイタを前記バルブソケットに取り付けるとともに、前記点灯装置のうち前記イグナイタを除く構成要素を前記収納室に配置したものである。
【００１６】
請求項９の発明は、請求項４の発明において、前記点灯装置が前記放電ランプを始動させるための高電圧を発生させるイグナイタを備え、前記イグナイタを前記キャップ内に配置するとともに、前記点灯装置のうち前記イグナイタを除く構成要素を前記収納室に配置したものである。
【００１７】
請求項１０の発明は、請求項４の発明において、前記点灯装置が前記放電ランプを始動させるための高電圧を発生させるイグナイタを備え、前記イグナイタを前記放電ランプにおけるリフレクタの後面側に突出する部位に設けるとともに、前記点灯装置のうち前記イグナイタを除く構成要素を前記収納室に配置したものである。
【００１８】
請求項１１の発明は、請求項４の発明において、前記点灯装置が別に設けた直流電源から供給される直流電圧を受け取る電源部を備え、前記電源部を前記灯体の外部に配置するとともに、前記点灯装置のうち前記電源部を除く構成要素を前記収納室に配置したものである。
【００１９】
請求項１２の発明は、請求項１ないし請求項１１のいずれかの発明において、前記収納室の内周面に導電性を付与した第１導電部を設けるとともに前記点灯装置の構成要素の接地点を第１導電部に接続し、前記蓋体における収納室側の面に導電性を付与した第２導電部を設け、第１導電部と第２導電部とが接触するように蓋体を収納室の開放部位に覆着するものである。
【００２０】
請求項１３の発明は、請求項２の発明において、前記点灯装置が別に設けた直流電源から供給される直流電圧を電圧変換するＤＣ−ＤＣコンバータを備え、ＤＣ−ＤＣコンバータのうちの発熱部品を金属板に熱的に結合し、前記金属板を前記インナーパネルに熱的に結合しているものである。
【００２１】
請求項１４の発明は、請求項１ないし請求項１２のいずれかの発明において、前記点灯装置が別に設けた直流電源から供給される直流電圧を電圧変換するＤＣ−ＤＣコンバータを備え、ＤＣ−ＤＣコンバータのうちの発熱部品を金属板に熱的に結合し、前記金属板を前記レンズに熱的に結合しているものである。
【００２２】
請求項１５の発明は、請求項４の発明において、ハロゲンランプを設けるとともにハロゲンランプからの光をレンズ側である前方に反射させる第２のリフレクタを前記リフレクタに隣接させて前記灯体内に収納し、前記リフレクタと第２のリフレクタとの間に対応する部位に前記点灯装置の少なくとも一部の構成要素が配置される前記収納室が形成されているものである。
【００２３】
【発明の実施の形態】
（基本構成）
本構成例は、図１に示すように、凹面鏡であるリフレクタ１１を備えた灯体１０内にＨＩＤランプである放電ランプ１２を配置し、さらに、灯体１０の内部空間に点灯装置２０を収納したものである。
【００２４】
灯体１０は、合成樹脂成形品あるいは金属製である角筒状のハウジングボディ１４を有し、ハウジングボディ１４の前端となる開口には放電ランプ１２からの光を灯体１０から取り出すためのレンズ１８が装着される。また、ハウジングボディ１４の後壁１４ａの中央部に開口窓１４ｂが形成され、開口窓１４ｂには合成樹脂成形品もしくは金属製であるキャップ１５が覆着される。このキャップ１５はハウジングボディ１４に対して着脱可能であり、開口窓１４ｂの周部との間にパッキン（図示せず）を挟装する形でハウジングボディ１４に取り付けられる。したがって、キャップ１５はハウジングボディ１４に対して防水された形で取り付けられる。また、キャップ１５をハウジングボディ１４から外すことによって、バルブソケット２２と放電ランプ１２とをリフレクタ１１から後方に引き抜くことが可能になっており、これによって放電ランプ１２の交換が可能になっている。ここに、本例では自動車の前照灯に用いることを想定し、放電ランプ１２とレンズ１８とが水平方向に離間して配置されている。つまり、レンズ１８の光軸がほぼ水平方向になるように配置される。
【００２５】
リフレクタ１１は表面を金属の薄膜で覆った合成樹脂成形品あるいは金属製であって、リフレクタ１１はハウジングボディ１４に対して適宜構成で固定されている。また、リフレクタ１１の凹面の中心付近に形成した開口孔（図示せず）を通して凹面の内側に放電ランプ１２が挿入され、放電ランプ１２の後端部はリフレクタ１１の後方に配置したバルブソケット２２に保持される。
【００２６】
レンズ１８は光の透過部となる前面板１８ａの周縁から周壁１８ｂが後方に延設された形状を有し、ハウジングボディ１４とレンズ１８との分割面から前面板１８ａまでの距離が比較的大きくなっている。そこで、レンズ１８の下部であって前面板１８ａと周壁１８ｂとにより形成される入隅部に点灯装置２０を構成するブロック２６ａを装着してある。ブロック２６ａはリフレクタ１１の下縁より下方に位置しており、放電ランプ１２の熱の影響を受けにくいように配置してある。点灯装置２０のブロック２６ａには、図１（ｂ）のように、電源線Ｌｐを介して電源コネクタ２３が接続され、またランプ線Ｌｄを介してバルブソケット２２が接続されている。電源コネクタ２３はハウジングボディ１４の後壁１４ａに固定され、灯体１０の外部に設けた直流電源（たとえば、カーバッテリ）と電気的に接続される。
【００２７】
本例で用いる点灯装置２０のブロック２６ａには直流電源からの直流電圧を受ける電源部２０ｃを備え、電源部２０ｃからの直流電圧をＤＣ−ＤＣコンバータ２０ｄにより昇圧または降圧するように電圧変換し、さらにＤＣ−ＤＣコンバータ２０ｄの出力電圧の極性をインバータ２０ｂにより交互に反転させて矩形波交流電圧を発生させる。また、放電ランプ１２を始動させるための高電圧を発生するイグナイタ２０ａも点灯装置２０に設けられる。電源部２０ｃは灯体１０の外部に設けた直流電源からの直流電圧の変動を抑制するための平滑コンデンサ、雷サージなどのサージから保護するためのサージ保護素子、インバータ２０ｂやＤＣ−ＤＣコンバータ２０ｄからのノイズが直流電源側に漏洩するのを防止するフィルタ回路、直流電源からの電源電圧が過大になったときに保護する過電圧保護素子の少なくとも１つを含んでいる。
【００２８】
本例の構成では、上述したように、点灯装置２０を構成するブロック２６ａがレンズ１８の下部に設けられ、灯体１０の内部空間に配置されるものであるから、灯体１０の内部空間を有功利用して点灯装置２０を配置することができる。その結果、従来構成のように灯体１０にキャップ１５とは別にカバーを設ける必要がなく、灯体１０からの突出部分が少なくなって灯体１０が小型化されることになる。また、カバーが不要であるから防水用の部材も少なくなり、結果的に部品点数が従来構成よりも少なくなってコストの低減につながる。しかも、自動車の前照灯に用いる場合には、レンズ１８は空冷されることになるから、点灯装置１０からの熱を放熱しやすく、しかもリフレクタ１１より下方に点灯装置２０が配置されることで点灯装置２０は放電ランプ１２による熱の影響を受けにくくなる。つまり、点灯装置２０の熱設計が緩和され、点灯装置２０を小型化したり低コスト化することが可能になる。さらに、レンズ１８はハウジングボディ１４から外した状態では、広く開口しておりかつ軽量であるから、点灯装置２０の組み付け作業が容易になる。
【００２９】
（参考例１）
本例は、図２に示すように、点灯装置２０の構成要素のうちイグナイタ２０ａを独立したブロック２６ｂとし、イグナイタ２０ａ以外の構成要素からなるブロック２６ｃとは分離したものである。ブロック２６ｃは基本構成と同様にレンズ１８の下部に配置されるが、ブロック２６ｂはハウジングボディ１４の後部でリフレクタ１１の下方に配置される。
【００３０】
図２（ｂ）に示すように、電源コネクタ２３からの電源線Ｌｐはブロック２６ｃに接続され、ブロック２６ｃとブロック２６ｂとの間は接続線Ｌｃにより接続される。また、本例ではランプ線Ｌｄはブロック２６ｃに接続され、ランプ線Ｌｄにバルブソケット２２が接続される。
【００３１】
上述したように、本例では高電圧を発生するイグナイタ２０ａを点灯装置２０の他の構成要素と分離して配置しているから、点灯装置２０のうちレンズ１８に配置する構成要素（つまりブロック２６ｃ）を基本構成よりも小型化することができることになる。しかも、高電圧を発生するイグナイタ２０ａと他の構成要素とを分離していることによって、ブロック２６ｃにおいては絶縁対策が緩和されることになり、このことによってもブロック２６ｃの小型化が可能になる。さらに、イグナイタ２０ａを備えるブロック２６ｂはハウジングボディ１４における空きスペースに配置されることになるから、ブロック２６ｂの配置が容易になる。他の構成および動作は基本構成と同様である。
【００３２】
（参考例２）
本例は、図３に示すように、点灯装置２０の構成要素のうちイグナイタ２０ａを独立したブロック２６ｂとし、イグナイタ２０ａ以外の構成要素からなるブロック２６ｃとは分離したものである。ブロック２６ｃは基本構成と同様にレンズ１８の下部に配置されるが、ブロック２６ｂはリフレクタ１１の外側下面に取り付けられる。つまり、ブロック２６ｂはリフレクタ１１に対して放電ランプ１２の反対側に配置されていることになる。しかも、リフレクタ１１の下面側であるから、放電ランプ１２の熱の影響を受けにくくなっている。
【００３３】
図３（ｂ）に示すように、本例の点灯装置２０は参考例１に用いたものと同様の構成を有する。つまり、電源コネクタ２３からの電源線Ｌｐはブロック２６ｃに接続され、ブロック２６ｃとブロック２６ｂとの間は接続線Ｌｃにより接続される。また、本例ではランプ線Ｌｄはブロック２６ｃに接続され、ランプ線Ｌｄにバルブソケット２２が接続される。
【００３４】
上述したように、本例では高電圧を発生するイグナイタ２０ａを点灯装置２０の他の構成要素と分離して配置しているから、点灯装置２０のうちレンズ１８に配置する構成要素（つまりブロック２６ｃ）を基本構成よりも小型化することができることになる。しかも、高電圧を発生するイグナイタ２０ａと他の構成要素とを分離していることによって、ブロック２６ｃにおいては絶縁対策が緩和されることになり、このことによってもブロック２６ｃの小型化が可能になる。さらに、イグナイタ２０ａを備えるブロック２６ｂはハウジングボディ１４における空きスペースに配置されることになるから、ブロック２６ｂの配置が容易になる。さらに、本例ではブロック２６ｃが灯体１０の下部に配置されるとともに、ブロック２６ｃとバルブソケット２２とを結ぶ直線に近い部位にブロック２６ｂを配置することが可能であるから、接続線Ｌｃとランプ線Ｌｄとを比較的短くすることができる。他の構成および動作は基本構成と同様である。
【００３５】
（参考例３）
本例は、図４に示すように、点灯装置２０の構成要素のうちイグナイタ２０ａをバルブソケット２２に取り付け、イグナイタ２０ａ以外の構成要素からなるブロック２６ｃとは分離したものである。ブロック２６ｃは基本構成と同様にレンズ１８の下部に配置される。このような配置によってイグナイタ２０ａはリフレクタ１１の後方に位置することになり、放電ランプ１２の熱の影響を受けにくくなっている。
【００３６】
図４（ｂ）に示すように、本例の点灯装置２０では電源コネクタ２３からの電源線Ｌｐはブロック２６ｃに接続され、ブロック２６ｃとバルブソケット２２との間は接続線Ｌｃにより接続される。また、本例ではイグナイタ２０ａがバルブソケット２２に取り付けていることによってランプ線Ｌｄは不要になっている。
【００３７】
上述したように、本例では高電圧を発生するイグナイタ２０ａを点灯装置２０の他の構成要素と分離して配置しているから、点灯装置２０のうちレンズ１８に配置する構成要素（つまりブロック２６ｃ）を基本構成よりも小型化することができることになる。しかも、高電圧を発生するイグナイタ２０ａと他の構成要素とを分離していることによって、ブロック２６ｃにおいては絶縁対策が緩和されることになり、このことによってもブロック２６ｃの小型化が可能になる。さらに、イグナイタ２０ａはバルブソケット２２に取り付けているから、イグナイタ２０ａの配置スペースを確保する必要がない。他の構成および動作は基本構成と同様である。
【００３８】
（参考例４）
本例は、図５に示すように、点灯装置２０の構成要素のうちイグナイタ２０ａを独立したブロック２６ｂとし、イグナイタ２０ａ以外の構成要素からなるブロック２６ｃとは分離したものである。ブロック２６ｃは基本構成と同様にレンズ１８の下部に配置されるが、ブロック２６ｂはリフレクタ１１の後方に設けたキャップ１５の内部に取り付けられる。つまり、ブロック２６ｂはリフレクタ１１に対して放電ランプ１２の反対側に配置され、放電ランプ１２の熱の影響を受けにくくなっている。
【００３９】
図５（ｂ）に示すように、本例の点灯装置２０は参考例１に用いたものと同様の構成を有する。つまり、電源コネクタ２３からの電源線Ｌｐはブロック２６ｃに接続され、ブロック２６ｃとブロック２６ｂとの間は接続線Ｌｃにより接続される。また、本例ではランプ線Ｌｄはブロック２６ｃに接続され、ランプ線Ｌｄにバルブソケット２２が接続される。
【００４０】
上述したように、本例では高電圧を発生するイグナイタ２０ａを点灯装置２０の他の構成要素と分離して配置しているから、点灯装置２０のうちレンズ１８に配置する構成要素（つまりブロック２６ｃ）を基本構成よりも小型化することができることになる。しかも、高電圧を発生するイグナイタ２０ａと他の構成要素とを分離していることによって、ブロック２６ｃにおいては絶縁対策が緩和されることになり、このことによってもブロック２６ｃの小型化が可能になる。さらに、イグナイタ２０ａを備えるブロック２６ｂはキャップ１５に配置されるから、キャップ１５にあらかじめブロック２６ｂを組み込んでおくことにより、キャップ１５をハウジングボディ１４に取り付けると同時にブロック２６ｂが灯体１０に取り付けられることになる。他の構成および動作は基本構成と同様である。
【００４１】
（参考例５）
本例は、図６に示すように、点灯装置２０の構成要素のうちイグナイタ２０ａを放電ランプ１２の口金部１２ａに収納し、イグナイタ２０ａ以外の構成要素からなるブロック２６ｃとは分離したものである。放電ランプ１２の口金部１２ａはリフレクタ１１の後面側に突出し、放電ランプ１２において光を放出している部位に対してはリフレクタ１１により分離されている。したがって、イグナイタ２０ａは放電ランプ１２の熱の影響を受けにくくなっている。
【００４２】
図６（ｂ）に示すように、本例の点灯装置２０では、電源コネクタ２３からの電源線Ｌｐはブロック２６ｃに接続され、ブロック２６ｃから引き出された接続線Ｌｃの先端にはランプコネクタ２４が設けられ、このランプコネクタ２４が放電ランプ１２の口金部１２ａに接続されるようになっている。
【００４３】
上述したように、本例では高電圧を発生するイグナイタ２０ａを点灯装置２０の他の構成要素と分離して配置しているから、点灯装置２０のうちレンズ１８に配置する構成要素（つまりブロック２６ｃ）を基本構成よりも小型化することができることになる。しかも、高電圧を発生するイグナイタ２０ａと他の構成要素とを分離していることによって、ブロック２６ｃにおいては絶縁対策が緩和されることになり、このことによってもブロック２６ｃの小型化が可能になる。さらに、イグナイタ２０ａが放電ランプ１２と一体化されているから、放電ランプ１２の交換時にイグナイタ２０ａも交換されることになり、メンテナンスが容易になる。他の構成および動作は基本構成と同様である。
【００４４】
（参考例６）
本例は、図７に示すように、点灯装置２０の構成要素のうち電源部２０ｃを独立したブロック２６ｄとし、電源部２０ｃ以外の構成要素からなるブロック２６ｅとは分離したものである。ブロック２６ｅは基本構成と同様にレンズ１８の下部に配置されるが、ブロック２６ｄは灯体１０の外部に引き出される。つまり、ブロック２６ｄはハウジングボディ１４の後壁１４ａに挿通される電源接続線Ｌｑを介してブロック２６ｅに接続され、ブロック２６ｄからは先端に電源コネクタ２３を有した電源線Ｌｐが引き出される。
【００４５】
図７（ｂ）に示すように、本例の点灯装置２０では、電源コネクタ２３からの電源線Ｌｐは電源部２０ｃを備えたブロック２６ｄに接続され、ブロック２６ｄとブロック２６ｅとの間は電源接続線Ｌｑにより接続される。また、ブロック２６ｅにはランプ線Ｌｄを介してバルブソケット２２が接続される。
【００４６】
上述したように、本例では電源部２０ｃを点灯装置２０の他の構成要素と分離して配置し、しかも電源部２０ｃを灯体１０の外部に配置しているから、リフレクタ１１が可動であるような照明装置を用いる場合（たとえば、放電ランプ１２に対してリフレクタ１１を電動により前後に移動させることでビームの広がりを変化させる場合や、リフレクタ１１を電動により上下に移動させることでビームの方向を変化させるレベラを用いる場合など）や、別の照明装置を並設するような場合には、電源部２０ｃをそれらの装置と共用することが可能になる。このように電源部２０ｃを他の装置と共用すれば部品点数が少なくなりコストの低減につながる。また、点灯装置２０のうち電源部２０ｃを灯体１０の外部に設けているから、点灯装置２０のうちレンズ１８に配置する構成要素（つまりブロック２６ｅ）を基本構成よりも小型化することができることになる。他の構成および動作は基本構成と同様である。
【００４７】
（第１の実施の形態）
本実施形態は、図８に示すように、基本的には図４に示した参考例３と同様であって、イグナイタ２０ａをバルブソケット２２に取り付けるようにし、イグナイタ２０ａを除く点灯装置２０の構成要素をレンズ１８の下部に配置した構成を有している。ただし、本実施形態では、図９のように、レンズ１８の下部において、前面板１８ａの後面に突出する隔壁１８ｃを設け、前面板１８ａと周壁１８ｂと隔壁１８ｃとに囲まれる収納室１９を設け、この収納室１９にブロック２６ｃを収納してある。収納室１９の内周面の全面と隔壁１８ｃの後面とに跨る部位には導電部２７が形成され、ブロック２６ｃの接地点は導電部２７に接続されている。ここに、ブロック２６ｃはプリント基板２８に回路部品を実装して形成されており、プリント基板２８は固定ねじ２９によりレンズ１８に固定され、図１０のように固定ねじ２９を介してプリント基板２８の接地点（グランドラインＧ）が導電部２７に接続される。
【００４８】
ここに、導電羽２７にはプリント基板２８を載置するための突台部２７ａが形成されており、固定ねじ２９は突台部２７ａに螺合される。また、導電部２７は金属板により形成するのが望ましいが、収納室１９の内周面に金属薄膜を形成したり、収納室１９の内周面に導電性合成樹脂を積層する形でもよい。さらに、ブロック２６ｃの接地点（グランドラインＧ）と導電部２７との接続は、図１１のようにプリント基板２８と導電部２７とを接触させる形で行ってもよい。
【００４９】
上述した収納室１９の開口面には蓋体４１が覆着される。この蓋体４１は隔壁１８ｃの先端面に螺合する取付ねじ４２によりレンズ１８に固定される。この蓋体４１は少なくとも収納室１９側の一面を導電部４１ａとするように形成される。したがって、蓋体４１は金属板により形成するのが望ましいが、表面に金属薄膜を形成した合成樹脂成形品や導電性合成樹脂で形成することもできる。このような蓋体４１を導電部４１ａが導電部２７に接触する形でレンズ１８に取り付けることによって、収納室１９が導電部２７，４１ａに囲まれることになり、導電部２７，４１ａによってブロック２６ｃが電磁シールドされることになる。つまり、ブロック２６ｃに含まれるインバータ２０ｂやＤＣ−ＤＣコンバータ２０ｄからの高周波の輻射ノイズが外部に漏洩するのを抑制することができる。また、本実施形態の構成ではレンズ１８の一部をブロック２６ｃの収納に用いるから、別途に収納用の部材を設ける必要がなく、コストの低減につながる。他の構成および動作は基本構成と同様である。
【００５０】
なお、本実施形態では、参考例３のようにイグナイタ２０ａをバルブソケット２２に設けた構成を例示したが、本実施形態の構成は基本構成のように点灯装置２０を１つのブロック２６ａとする場合のほか、上述した各参考例の構成に対しても適用可能である。また、場合によってはイグナイタ２０ａが灯体１０の外部に設けられている場合でも適用可能である。
【００５１】
（第２の実施の形態）
本実施形態は、図１２に示すように、レンズ１８の中にインナーパネル４３を設け、インナーパネル４３にブロック２６ｃを設けたものである。また、図４に示した参考例３と同様にイグナイタ２０ａはバルブソケット２２に取り付けてある。インナーパネル４３は、図１３に示すように、レンズ１８の前面板１８ａとハウジングボディ１４との間に配置される。レンズ１８の周壁１８ｃの内周面の適宜箇所には取付突部１８ｄが突設され、インナーパネル４３の周部に形成した取付片４３ａが取付突部１８ｄに重複した状態で、取付片４３ａを通して取付突部１８ｄに取付ねじ４４を螺合させることによりインナーパネル４３がレンズ１８に固定される。
【００５２】
ところで、インナーパネル４３には、第１の実施の形態におけるレンズ１８の下部と同様に、収納室４５が形成される。インナーパネル４３は図１４に示すように、２つの窓部４３ｂを備え、各窓部４３ｂに対応するようにリフレクタ１１が配置される。収納室４５は両窓部４３ｂの間の部位であって、リフレクタ１１の下縁よりも下方に形成される。つまり、インナーパネル４３はレンズ１８と同様に窓部４３ｂを有する前面板４３ｃの周部に後方に向かった周壁４３ｄが突設された形状を有し、上記取付片４３ａは周壁４３ｄの先端部に形成される。また、前面板４３ｃの後面に突出する隔壁４３ｅを設けてあり、上述した収納室４５は前面板４３ｃと周壁４３ｄと隔壁４３ｅとに囲まれる。本実施形態では、この収納室４５にブロック２６ｃを収納してある。収納室４５の内周面の全面と隔壁４３ｅの後面とに跨る部位には導電部４６が形成され、ブロック２６ｃの接地点は導電部４６に接続されている。ブロック２６ｃはプリント基板２８に回路部品を実装して形成されており、プリント基板２８は固定ねじ４７によりインナーパネル４３に固定され、図１３のように固定ねじ４７を介してプリント基板２８の接地点（グランドラインＧ）が導電部４６に接続される。
【００５３】
ここに、導電部４６にはプリント基板２８を載置するための突台部４６ａが形成されており、固定ねじ４７は突台部４６ａに螺合される。また、導電部４６は金属板により形成するのが望ましいが、収納室４５の内周面に金属薄膜を形成したり、収納室４５の内周面に導電性合成樹脂を積層する形でもよい。
【００５４】
上述した収納室４５の開口面には蓋体４８が覆着される。この蓋体４８は隔壁４３ｅの先端面に螺合する取付ねじ５０によりインナーパネル４３に固定される。この蓋体４８は少なくとも収納室４５側の一面を導電部４８ａとするように形成される。したがって、蓋体４８は金属板により形成するのが望ましいが、表面に金属薄膜を形成した合成樹脂成形品や導電性合成樹脂で形成することもできる。このような蓋体４８を導電部４８ａが導電部４６に接触する形でインナーパネル４３に取り付けることによって、収納室４５が導電部４６，４８ａに囲まれることになり、導電部４６，４８ａによってブロック２６ｃが電磁シールドされることになる。つまり、ブロック２６ｃに含まれるインバータ２０ｂやＤＣ−ＤＣコンバータ２０ｄからの高周波の輻射ノイズが外部に漏洩するのを抑制することができる。また、インナーパネル４３は軽量であり、収納室４５を大きく解放することができるから、ブロック２６ｃの組み付け作業が容易になる。しかも、インナーパネル４３を不透明材料で形成することによって、ブロック２６ｃがレンズ１８を通して外部から見えることがなく、見栄えがよくなる。他の構成および動作は基本構成と同様である。
【００５５】
なお、本実施形態では、参考例３のようにイグナイタ２０ａをバルブソケット２２に設けた構成を例示したが、本実施形態の構成は基本構成のように点灯装置２０を１つのブロック２６ａとする場合のほか、上述した各参考例に対しても適用可能である。また、場合によってはイグナイタ２０ａが灯体１０の外部に設けられている場合でも適用可能である。
【００５６】
（第３の実施の形態）
本実施形態は、図１４に示すように、第２の実施の形態において、ブロック２６ｃに設けたＤＣ−ＤＣコンバータ２０ｄに含まれているＭＯＳＦＥＴなどからなるスイッチング素子ＳＷのような発熱部品に熱伝導性の良好な金属板４９を熱的に結合したものである。金属板４９はインナーパネル４３に対して熱的に結合される。図示例では、金属板４９とインナーパネル４３の導電部４６とを直接接触させている。ただし、合成樹脂やゴムを介して接触させるようにしてもよい。また、インナーパネル４３も直接または合成樹脂やゴムを介して接触させる。ここに本実施形態では、レンズ１８に取付突起１８ｄを設ける代わりに、レンズ１８の周壁１８ｂの内周面に段差部１８ｅを設け、インナーパネル４３の取付片４３ａを段差部１８ｅに当接させている。したがって、インナーパネル４３とレンズ１８との接触面積が第２の実施の形態よりも大きくなってインナーパネル４３とレンズ１８との熱的結合が高くなっている。その結果、発熱部品からの熱はレンズ１８に伝わりやすく、結果的に放熱性能が高くなっている。他の構成および動作は第２の実施の形態と同様である。
【００５７】
（第４の実施の形態）
本実施形態は、図１７に示すように、ハウジングボディ１４に２個のリフレクタ１１ａ，１１ｂを設け、一方のリフレクタ１１ａは上述した各参考例、各実施形態と同様に放電ランプ１２に対応するものとし、他方のリフレクタ１１ｂにはハロゲンランプ１３を設けるものである。この構成は自動車の前照灯に用いることを想定したものであり、放電ランプ１２をロービーム用とし、ハロゲンランプ１３をハイビーム用とするものである。
【００５８】
放電ランプ１２に対応したイグナイタ２０ａは参考例３と同様にバルブソケット２２に取り付けられ、点灯装置２０におけるイグナイタ２０ａを除く構成要素はブロック２６ｃとしてインナーパネル４３の下部に設けてある。図１６に示すように、ブロック２６ｃは窓部４３ｂの間の部位、つまり両リフレクタ１１ａ，１１ｂの間に対応する部位でインナーパネル４３に設けてある。また、本実施形態では電源コネクタ２３も両リフレクタ１１ａ，１１ｂに対応する部位でハウジングボディ１４の後壁１４ａに設けてある。
【００５９】
本実施形態の構成を採用することによって、電源線Ｌｐや接続線Ｌｃのようなハーネスとして灯体１０に１個のリフレクタ１１のみが収納されているものと同じ長さの短いものを用いることができ、部品仕様の共通化を図ることができる。つまり、部材や管理コストの削減につながる。
【００６０】
なお、本実施形態では、参考例３のようにイグナイタ２０ａをバルブソケット２２に設けた構成を例示したが、本実施形態の構成は基本構成のように点灯装置２０を１つのブロック２６ａとする場合のほか、上述した各参考例、各実施形態の構成に対しても適用可能である。また、場合によってはイグナイタ２０ａが灯体１０の外部に設けられている場合でも適用可能である。また、本実施形態ではインナーパネル４３を用いた例を示したが、インナーパネル４３を設けない場合であれば、両リフレクタ１１ａ，１１ｂの間に対応する部位でレンズ１８にブロック２６ｃを設ければよい。他の構成および動作は基本構成と同様である。
【００６１】
（第５の実施の形態）
本実施形態は、図１８に示すように、レンズ１８の下部に収納室１９を設けた第１の実施の形態と同様の構成を有し、イグナイタ２０ａをバルブソケット２２に取り付け、イグナイタ２０ａを除く点灯装置２０の構成要素をレンズ１８の下部に配置している。ただし、蓋体４１を設ける代わりにハウジングボディ１４の下部内周面に、収納室１９に対向する蓋部５１を形成し、収納室１９の開口面を蓋部５１により覆う構成としてある。蓋部５１は前面が開放された凹所５１ａを有し、レンズ１８に設けた収納室１９の凹所とともにブロック２６ｃを収納する空間を形成する。言い換えると、両凹所に囲まれた空間がブロック２６ｃを収納する収納室として機能する。凹所５１ａの内周面には金属板あるいは金属薄膜からなる導電部（図示せず）を形成し、収納室１９の内周面に形成した導電部（図示せず）と導電性接着材を用いて電気的に接続する。こうしてブロック２６ｃの電磁シールドがなされることになる。
【００６２】
本実施形態の構成によれば、別途に蓋体を設けることなくハウジングボディ１４の一部で収納室１９の開口部分を覆うことができ、第１の実施の形態よりも部品点数が低減する。また、ハウジングボディ１４に設けた蓋体５１には前面開口する凹所５１ａが形成されているから、レンズ１７に設けた収納室１９とともに形成されるブロック２６ｃの収納空間を第１の実施の形態よりも大きくとることができる。しかも、ハウジングボディ１４にレンズ１８を結合するだけで収納室１９が閉塞されるから、組立作業も容易になる。他の構成および機能は第１の実施の形態と同様である。
【００６３】
（第６の実施の形態）
本実施形態は、図１９に示すように、第５の実施の形態とほぼ同様の構成であるが、ハウジングボディ１４の下部内側面に蓋部５１を設けるのではなく、ハウジングボディ１４の下部外側面に蓋部５１を設けた構成としてある。したがって、第５の実施の形態に比較するとハウジングボディ１４の上下寸法を小さくすることが可能になり、灯体１０の小型化につながる。ここに、図２０に示すように、蓋部５１に設けた凹所５１ａの内周面には金属板または金属薄膜による導電部５１ｂを形成してあり、レンズ１８の収納室１９の内周面に設けた導電部２７と電気的に接続する。つまり、収納室１９の開口縁に係合突部５２を設け、蓋部５１の開口縁に係合凹所５３を設けて、係合突部５２と係合凹所５３を凹凸嵌合させるとともに、導電性接着材を用いて両者を接続するのである。この構成によって、レンズ１８とハウジングボディ１４との機械的結合強度が高まるとともに、導電部２７と導電部５１ｂとの電気的接続もなされる。
【００６４】
また、本実施形態においてはＤＣ−ＤＣコンバータ２０ｄの発熱部品であるスイッチング素子ＳＷに金属板４９を熱的に結合し、導電部２７に金属板４９を接触させてある。これによって、発熱部品の放熱が容易になる。なお、この構成は第５の実施の形態においても適用可能である。また、発熱部品はスイッチング素子ＳＷに限定されるものではない。他の構成および動作は第５の実施の形態と同様である。
【００６５】
【発明の効果】
請求項１ないし請求項３の発明の構成によれば、点灯装置の少なくとも一部の構成要素を収納する収納室をレンズの少なくとも一部を利用して形成しているから、全体として小型かつ軽量であり、部品数が削減されるから組立工数が従来構成よりも少なくなる。また、組立時にレンズを外して点灯装置の少なくとも一部を組み付けるようにすれば、レンズが灯体の残りの部分よりも軽量であることによって組立時に軽量な部材を扱うことになって組立作業が容易になる。しかも、自動車の前照灯として用いる場合には、レンズは空冷されやすい位置に設けられるから、点灯装置の放熱が確保され熱設計が容易になる。
【００６６】
請求項４の発明の構成によれば、レンズをハウジングボディから外した状態で点灯装置の少なくとも一部をレンズに取り付けるから、灯体の残りの部材よりも軽量であるレンズを扱うことになって組立作業が容易になる。また、この構成ではレンズを外すことなくキャップをハウジングボディから外すことによって放電ランプの交換が可能になる。
【００６７】
請求項５の発明の構成によれば、点灯装置の少なくとも一部は放電ランプよりも下方に位置し、しかも外気に触れるレンズに設けていることによって、点灯装置のうちレンズに設けられている構成要素は放電ランプからの熱の影響を受けにくくなる。つまり、熱設計の設計値を緩和することができ、点灯装置の小型化や低コスト化につながる。
【００６８】
請求項６の発明の構成によれば、高電圧を発生するイグナイタを点灯装置の残りの部分から分離していることによって回路設計が容易になるとともに、絶縁距離が確保しやすくなる。しかも、ハウジングボディはリフレクタを収納する部分であるからレンズよりも空間を広く利用することができ、イグナイタの配置の自由度が高くなる。
【００６９】
請求項７の発明の構成によれば、高電圧を発生するイグナイタを点灯装置の残りの部分から分離していることによって回路設計が容易になるとともに、絶縁距離が確保しやすくなる。しかも、イグナイタを点灯装置の残りの部分から放電ランプに至る経路上に配置することができ、イグナイタと点灯装置の残りの部分と放電ランプとを比較的短い電線で結線することが可能になる。このことは、ノイズの低減につながるとともに、高電圧が発生する部位に触れる可能性を低減して安全性を高めることになる。
【００７０】
請求項８の発明の構成によれば、高電圧を発生するイグナイタを点灯装置の残りの部分から分離していることによって回路設計が容易になるとともに、絶縁距離が確保しやすくなる。しかも、イグナイタをバルブソケットに配置しているから、イグナイタと放電ランプとの間に電線による結線が不要であり、ノイズの低減につながるとともに、高電圧が発生する部位に触れる可能性を低減して安全性を高めることになる。
【００７１】
請求項９の発明の構成によれば、高電圧を発生するイグナイタを点灯装置の残りの部分から分離していることによって回路設計が容易になるとともに、絶縁距離が確保しやすくなる。しかも、イグナイタを放電ランプの近傍に設けたキャップに配置しているから、イグナイタと放電ランプとの間の距離が短くなり、ノイズの低減につながるとともに、イグナイタの故障時にはイグナイタのみの交換を容易に行うことができる。
【００７２】
請求項１０の発明の構成によれば、高電圧を発生するイグナイタを点灯装置の残りの部分から分離していることによって回路設計が容易になるとともに、絶縁距離が確保しやすくなる。しかも、イグナイタを放電ランプに組み込んでいるから、イグナイタと放電ランプとの間を電線により結線する必要がなく、ノイズの低減につながるとともに、高電圧が発生する部位に触れる可能性を低減することができる。さらには、放電ランプの交換時にイグナイタも交換されるから、イグナイタの性能維持が容易になる。
【００７３】
請求項１１の発明の構成によれば、電源部を灯体の外部に配置したことによって、電源部を他の回路に共用することが可能になり（たとえば、リフレクタを前後に移動させてハイビームとロービームとを切り換える装置や、リフレクタの光軸を調節してビームの向きを調節するレベラなどと電源部を共用する）、全体としてコストの低減につながるとともに、灯体を小型化することが可能になる。
【００７４】
請求項１２の発明の構成によれば、点灯装置の少なくとも一部が導電部で囲まれた収納室に収納されることによって、収納室がシールドケースとして機能することになり、不要輻射によるノイズを低減することができる。
【００７５】
請求項１３の発明の構成によれば、ＤＣ−ＤＣコンバータを構成する発熱部品の放熱を確保することができ、熱設計が容易になって点灯装置の小型化ないし軽量化につながる。
【００７６】
請求項１４の発明の構成によれば、ＤＣ−ＤＣコンバータを構成する発熱部品の放熱を確保することができ、熱設計が容易になって点灯装置の小型化ないし軽量化につながる。
【００７７】
請求項１５の発明の構成によれば、２個のリフレクタの間のスペースを有功に利用して点灯装置を配置することができる。
【図面の簡単な説明】
【図１】  基本構成を示し、（ａ）は断面図、（ｂ）は同上に用いる点灯装置を示す平面図である。
【図２】  参考例１を示し、（ａ）は断面図、（ｂ）は同上に用いる点灯装置を示す平面図である。
【図３】  参考例２を示し、（ａ）は断面図、（ｂ）は同上に用いる点灯装置を示す平面図である。
【図４】  参考例３を示し、（ａ）は断面図、（ｂ）は同上に用いる点灯装置を示す平面図である。
【図５】  参考例４を示し、（ａ）は断面図、（ｂ）は同上に用いる点灯装置を示す平面図である。
【図６】  参考例５を示し、（ａ）は断面図、（ｂ）は同上に用いる点灯装置を示す平面図である。
【図７】  参考例６を示し、（ａ）は断面図、（ｂ）は同上に用いる点灯装置を示す平面図である。
【図８】  本発明の第１の実施の形態を示し、（ａ）は断面図、（ｂ）は同上に用いる点灯装置を示す平面図である。
【図９】  同上の要部を示し、（ａ）は組立後の断面図、（ｂ）は組立前の断面図である。
【図１０】  同上の要部断面図である。
【図１１】  同上の要部断面図である。
【図１２】  本発明の第２の実施の形態を示し、（ａ）は断面図、（ｂ）は同上に用いる点灯装置を示す平面図である。
【図１３】  同上の要部を示し、（ａ）は組立前の断面図、（ｂ）は組立後の断面図である。
【図１４】  同上に用いるレンズの背面図である。
【図１５】  本発明の第３の実施の形態の要部を示し、（ａ）は組立前の断面図、（ｂ）は組立後の断面図である。
【図１６】  本発明の第４の実施の形態に用いるレンズの背面図である。
【図１７】  同上の断面図である。
【図１８】  本発明の第５の実施の形態を示す断面図である。
【図１９】  本発明の第６の実施の形態を示す断面図である。
【図２０】  同上の要部断面図である。
【図２１】  従来例を示す断面図である。
【図２２】  同上に用いる点灯装置を示す平面図である。
【符号の説明】
１０  灯体
１１  リフレクタ
１１ａ  リフレクタ
１１ｂ  リフレクタ
１２  放電ランプ
１３  ハロゲンランプ
１４  ハウジングボディ
１４ｂ  開口窓
１５  キャップ
１８  レンズ
１９  収納室
２０  点灯装置
２０ａ  イグナイタ
２０ｃ  電源部
２０ｄ  ＤＣ−ＤＣコンバータ
２７  導電部
４１  蓋体
４１ａ  導電部
４３  インナーパネル
４５  収納室
４６  導電部
４８  蓋体
４８ａ  導電部
５１  蓋部
５１ａ  凹所
ＳＷ  スイッチング素子
【図１】
0004590673.tif 000002
【図２】
0004590673.tif 000003
【図３】
0004590673.tif 000004
【図４】
0004590673.tif 000005
【図５】
0004590673.tif 000006
【図６】
0004590673.tif 000007
【図７】
0004590673.tif 000008
【図８】
0004590673.tif 000009
【図９】
0004590673.tif 000010
【図１０】
0004590673.tif 000011
【図１１】
0004590673.tif 000012
【図１２】
0004590673.tif 000013
【図１３】
0004590673.tif 000014
【図１４】
0004590673.tif 000015
【図１５】
0004590673.tif 000016
【図１６】
0004590673.tif 000017
【図１７】
0004590673.tif 000018
【図１８】
0004590673.tif 000019
【図１９】
0004590673.tif 000020
【図２０】
0004590673.tif 000021
【図２１】
0004590673.tif 000022
【図２２】
0004590673.tif 000023